(57)【要約】      （修正有）【課題】シートのオフセットか、または、スタックが最上部から最下部まで直角にならないことを防止する。【解決手段】トレイ１１５は基部１１９を有し、印刷媒体シートを受ける。レジストレーションガイド１３９、１３９ａ、１４３はトレイ１１５と接続される。レジストレーションガイド１３９、１３９ａ、１４３はトレイ１１５に角部１４７を規定する。タンパー機構１５０は、角部１４７の反対側のトレイ１１５の側部と隣接する基部１１９から垂直に伸びる回転螺旋状ブラシを備える。タンパー機構１５０は、印刷媒体シートをレジストレーションガイド１３９、１３９ａ、１４３に抑えつけ、印刷媒体シートのスタックが角部１４７に対して直角になるよう配置される。【選択図】図１
2015131730.tif 000002
【特許請求の範囲】
【請求項１】
基部を備えるトレイであって、前記トレイは印刷媒体シートを受ける、トレイと、
前記トレイと接続されるレジストレーションガイドであって、前記レジストレーションガイドは前記トレイに角部を規定する、レジストレーションガイドと、
前記角部と反対側の前記トレイの側部と隣接する前記基部から垂直に伸びる回転螺旋状ブラシを備えるタンパー機構であって、前記タンパー機構は、前記印刷媒体シートを前記レジストレーションガイドに抑えつけ、前記印刷媒体シートのスタックが前記角部に対して直角になるよう配置される、タンパー機構と、
を備える、デバイス。
【請求項２】
前記レジストレーションガイドは、
前記トレイの端部と接続される第１のレジストレーションガイドと、
前記トレイの側部と接続される第２のレジストレーションガイドと、
を備える、請求項１に記載のデバイス。
【請求項３】
タンパーデバイスを備える前記回転螺旋状ブラシは、
前記基部に対して垂直に伸びる軸と、
前記軸に取り付けられる剛毛であって、前記剛毛は、前記印刷媒体シートを前記基部に向かう方向へ前記角部内に移動させる螺旋状パターンを形成する、剛毛と、
を備える、請求項１に記載のデバイス。
【請求項４】
前記タンパー機構は、
前記角部の反対側の前記トレイの前記側部と隣接する第１のタンパーデバイスと、
前記角部と隣接する前記トレイの側部と隣接する第２のタンパーデバイスと、
を備える、請求項３に記載のデバイス。
【請求項５】
前記タンパー機構は、
前記第１のタンパーデバイスと隣接する第３のタンパーデバイスと、
を備える、請求項４に記載のデバイス。
【請求項６】
前記タンパー機構は、前記印刷媒体シートを前記回転螺旋状ブラシと係合し、前記印刷媒体シートを前記トレイ内に前記レジストレーションガイドに向かう方向へ移動させる、請求項１に記載のデバイス。
【請求項７】
前記タンパー機構は、前記印刷媒体シートを前記レジストレーションガイドに継続的に抑えつける、請求項１に記載のデバイス。
【発明の詳細な説明】
【技術分野】
【０００１】
本明細書におけるデバイスおよび方法は、一般的には、プリンタおよび／またはコピー機デバイスなどの機器に関し、より詳細には、回転螺旋状ブラシを使用してシート再スタックトレイ内のシートを整列する方法に関する。
【背景技術】
【０００２】
高速印刷デバイスにおいて、マーキングが施された後にシートを再スタックする問題がある。現状のスカファロールベルトおよびサイドタッパーは、最終スタックに正しくシートを整列しない可能性がある。シートはオフセットされるか、または、スタックが最上部から最下部まで直角にならない可能性がある。
【発明の概要】
【発明が解決しようとする課題】
【０００３】
螺旋状に巻かれた回転ブラシを備えるシートレジストレーションおよび再スタックデバイスが、本明細書において開示される。角部を形成してシートスタックの２つの側部を整列するシートガイドの組が予め配置される。ブラシは、シートスタックの方位に対して右巻き傾斜または左巻き傾斜のいずれかを有してもよい。シートがデバイスに入ると、ブラシの螺旋状傾斜の回転により、シートは下方およびスタック縁部ガイドへ向かう方向に移動する。シートがスタック内に収まると、ブラシはシートをレジストレーション角部内へ徐々に押し出す。ブラシの持続的な力により、レジストレーションガイドに対するスタックの位置が維持される。
【課題を解決するための手段】
【０００４】
本明細書におけるデバイスによると、トレイは基部を備える。トレイは印刷媒体シートを受ける。レジストレーションガイドはトレイと接続される。レジストレーションガイドは、トレイの角部を規定する。タンパー機構は、角部の反対側のトレイの側部と隣接する基部から垂直に伸びる回転螺旋状ブラシを備える。タンパー機構は、印刷媒体シートをレジストレーションガイドに抑えつけ、印刷媒体シートのスタックが角部に対して直角になるよう配置される。
【０００５】
シートレジスタリング装置によると、シートレジスタリング装置は、シート受けトレイおよびシート受けトレイと接続されるレジストレーションガイドを含む。第１の回転ブラシは、シート受けトレイの左側部に置かれる。第１の回転ブラシは、シート受けトレイの基部に対する垂直軸および右巻き傾斜の螺旋状パターンで垂直軸に取り付けられる剛毛を有する。第２の回転ブラシは、シート受けトレイの右側部に置かれる。第２の回転ブラシは、シート受けトレイの基部に対する垂直軸および左巻き傾斜の螺旋状パターンで垂直軸に取り付けられる剛毛を有する。
【０００６】
印刷媒体シートを収集および整列する方法によると、印刷媒体シートは、シート受けトレイの中へ受けられる。印刷媒体シートはタンパー機構と係合される。タンパー機構は、シート受けトレイの側部と隣接するシート受けトレイの基部から垂直に伸びる回転螺旋状ブラシを備える。印刷媒体シートは、シート受けトレイの中へ、シート受けトレイに角部を規定するレジストレーションガイドへ向かう方向に移動される。印刷媒体シートは、印刷媒体シートのスタックを蓄積するためにレジストレーションガイドに継続的に抑えつけられ、スタックは角部に対して直角になる。
【０００７】
これらの特徴および他の特徴が、以下の詳細な説明において記載され、または詳細な説明により明らかになる。
【０００８】
デバイスおよび方法の様々な例が、添付の図を参照して以下に詳細に説明される。図は必ずしも原寸で描かれるとは限らない。
【図面の簡単な説明】
【０００９】
【図１】図１は、本明細書におけるデバイスおよび方法による、シートレジスタリング装置の斜視図である。
【図２】図２は、本明細書におけるデバイスおよび方法による、シートレジスタリング装置の側面斜視図である。
【図３】図３は、本明細書におけるデバイスおよび方法による、シートレジスタリング装置の正面斜視図である。
【図４】図４は、本明細書におけるデバイスおよび方法による、シートレジスタリング装置の上面斜視図である。
【図５】図５は、本明細書におけるデバイスおよび方法による、シートレジスタリング装置の平面図である。
【図６】図６は、本明細書におけるデバイスおよび方法による、シートレジスタリング装置の斜視図である。
【図７】図７は、本明細書における方法を図示するフロー図である。
【図８】図８は、本明細書におけるデバイスおよび方法による、多機能デバイスの側視概略図である。
【図９】図９は、本明細書におけるデバイスおよび方法を図示する概略図である。
【発明を実施するための形態】
【００１０】
ここで、本開示は、印刷デバイスのシートのスタックをプリンタの媒体シートトレイに収集および整列するデバイスを含む印刷装置を参照することにより説明される。本開示がその特定のデバイスおよび方法と関連して以降に説明される一方で、本開示は特定のデバイスおよび方法を限定する意図はないことが理解されるであろう。むしろ、付属の請求項により規定される本開示の主旨および範囲内に含まれ得るすべての代替物、変形、および均等物を網羅することが意図される。本開示の特徴を一般的に理解するために、図が参照される。図において、同様の参照番号は、全体を通して同一の要素を特定するために使用されている。
【００１１】
本明細書におけるデバイスおよび方法によると、印刷デバイスは、螺旋状に形成された回転ブラシを使用して、印刷シートを予め配置されたレジストレーション角部内へ押し出す。螺旋状ブラシの回転により、シートは下向きにスタック位置へ移動する。ブラシの動作により、シートは２つの縁部レジストレーション表面へ向かって徐々に移動する。スタックが高くなると、ブラシは縁部ガイドにレジストレーションされるスタックを維持する。ブラシの回転速度、剛毛の硬さ、およびシートの衝突は、性能を最適化するよう調整され得る。本明細書における説明は、「出力トレイ」に言及してもよい。しかしながら、本明細書におけるデバイスおよび方法は、両面原稿の印刷面の２つを印刷する前にシートを再スタックする双方向トレイなど、必ずしも最終出力トレイとは限らない任意のトレイまたはシート再スタックデバイスに適用されてもよい。
【００１２】
図１は、本明細書におけるデバイスおよび方法にしたがって、一般的に１１１で示されるような、シートレジスタリング装置の斜視図の例を示す。シートレジスタリング装置１１１は、シート受けトレイと称されることもある、印刷媒体シートを受けるよう構成されるトレイ１１５を含む。トレイ１１５は、基部１１９、前端部１２３、前端部１２３の反対側の後端部１２７、前端部１２３と関連する左側部１３１、および左側部１３１の反対側の右側部１３５を有する。トレイ１１５は、印刷媒体シートを、前端部１２３を介して受ける。
【００１３】
レジストレーションガイドは、基部１１９と接続される。少なくとも１つの第１のレジストレーションガイド１３９、１３９ａは、トレイ１１５と後端部１２７で接続される。少なくとも１つの第２のレジストレーションガイド１４３は、トレイ１１５と、左側部１３１および右側部１３５のうちの１つで接続される。図１に示されるように、第２のレジストレーションガイド１４３は、右側部１３５と接続される。第１のレジストレーションガイド１３９および第２のレジストレーションガイド１４３は、トレイ１１５に角部１４７を規定する。
【００１４】
シートレジスタリング装置１１１は、一般的に１５０で示されるような、１つ以上のタンパーデバイス１５１、１５５、１５９を備えるタンパー機構を含む。タンパーデバイス１５１、１５５、１５９の各々は、トレイ１１５の側部と隣接する基部１１９から垂直に伸びる回転螺旋状ブラシを備える。タンパーデバイス１５１、１５５、１５９の各々は、基部１１９に対して実質的に垂直な軸１６３、および垂直軸１６３に取り付けられる剛毛１６７を有する。トレイ１１５の左側部１３１に置かれるタンパーデバイス１５１、１５５上の垂直軸１６３に取り付けられる剛毛１６７は、右巻き傾斜の螺旋状パターンである。トレイ１１５の右側部１３５に置かれるタンパーデバイス１５９上の垂直軸１６３に取り付けられる剛毛１６７は、左巻き傾斜の螺旋状パターンである。タンパー機構１５０は、印刷媒体シートを第１のレジストレーションガイド１３９および第２のレジストレーションガイド１４３に抑えつけ、印刷媒体シートのスタックが角部１４７に対して直角になるよう配置される。本明細書に記載されるレジストレーションガイドおよびタンパーデバイスは、様々な寸法のシートのスタックを最適化するために、調整可能機構に搭載されてもよいことに留意されたい。このような調整可能機構は、自己整列型であってもよい。
【００１５】
図２〜図６は、本明細書におけるデバイスおよび方法にしたがって、シートレジスタリング装置１１１の動作を図示する。図２を参照すると、印刷媒体シート２０３は、以下でさらに詳細に説明されるように、印刷デバイスからの出力として受けられる。図２〜図６に示される例において、トレイ１１５は出力トレイとして機能する。トレイ１１５は、タンパー機構１５０を有する任意の適切なトレイを備えてもよいことが考慮される。印刷媒体シート２０３は、タンパー機構１５０により、タンパーデバイス１５１、１５５、１５９のうちの少なくとも１つと係合される。１つのタンパーデバイスのみを使用する場合、デバイスは、第２のレジストレーションガイド１４３の反対側のトレイ１１５の側部と隣接するのがよい。図２に図示されるように、タンパーデバイス１５１、１５５のうちの１つとなる。２つのタンパーデバイスを使用する場合、デバイスはトレイ１１５の左側部１３１および右側部１３５上にあるのがよい。図２に図示されるように、これはタンパーデバイス１５１、１５９となる。任意の数のタンパーデバイスが使用され得ることが考慮される。（図５に最適に示されるように、トレイ１１５の反対側のタンパーデバイス１５１、１５９は、お互いの向かいに直接的に整列している必要はないことに留意されたい）。図２〜図６に図示される例は、３つのタンパーデバイス１５１、１５５、１５９を使用する。タンパーデバイス１５１、１５５、１５９は、左側部１３１のデバイスが右巻き傾斜の螺旋状ブラシパターンを有し、右側部１３５のデバイスが左巻き傾斜の螺旋状ブラシパターンを有する限り、トレイ１１５の左側部１３１および右側部１３５に沿った任意の位置に配置され得る。
【００１６】
図３および図４において、印刷媒体シート２０３は、トレイ１１５の中へレジストレーションガイド１３９、１４３に向かう方向へ、タンパーデバイス１５１、１５５、１５９に取り付けられた剛毛１６７の動作により移動される。つまり、印刷媒体シート２０３は、矢印３０４で示されるように、下方および前方へ移動される。矢印３０４は、回転螺旋状ブラシからの力の方向を示す。本明細書におけるデバイスおよび方法にしたがって、タンパーデバイス１５１、１５５、１５９は、矢印４０５で示される方向に回転する螺旋状ブラシを回転させていることに留意されたい。つまり、トレイ１１５の左側部１３１上のデバイス（タンパーデバイス１５１、１５５）は反時計回りに回転し、トレイ１１５の右側部１３５上のデバイス（タンパーデバイス１５９）は時計回りに回転する。
【００１７】
本明細書におけるデバイスおよび方法にしたがって、図５はシートレジスタリング装置１１１の平面図を示し、図６はシートレジスタリング装置１１１の斜視図を示す。図５および図６において、印刷媒体シート２０３は、第１のレジストレーションガイド１３９および第２のレジストレーションガイド１４３により形成される角部１４７のスタック位置内へ移動されている。第２のシート５０６は、印刷デバイスからの出力として受けられ、同様の手法で印刷媒体シート２０３の最上部へ移動される。
【００１８】
印刷媒体シートは、印刷媒体シートのスタックを蓄積するためにレジストレーションガイド１３９、１４３に継続的に抑えつけられ、抑えつけの間、スタックはレジストレーションガイド１３９、１４３に対して直角になる。
【００１９】
図７は、本明細書におけるデバイスおよび方法による、印刷デバイスの印刷媒体シートを収集および整列するための例示的な方法の処理フローを図示するフロー図である。７１５で、印刷媒体シートは、印刷デバイスから出力トレイの中へ受けられる。７３０で、印刷媒体シートは、タンパー機構と係合される。７４５で示されるように、タンパー機構は、出力トレイの側部と隣接する出力トレイの基部から垂直に伸びる回転螺旋状ブラシを備える。印刷媒体シートは、７６０で、トレイ内へレジストレーションガイドに向かう方向へ移動される。レジストレーションガイドはトレイに角部を規定する。７７５で、印刷媒体シートは、レジストレーションガイドに継続的に抑えつけられる。７９０で、印刷媒体シートのスタックが蓄積され、スタックは角部に対して直角になる。
【００２０】
図８は、本明細書におけるデバイスおよび方法で使用でき、例えば、プリンタ、コピー機、多機能機器などを備え得る多機能デバイス８０４を図示する。多機能デバイス８０４は、図９に示されるように、制御器／処理器８１０、および制御器／処理器８１０および多機能デバイス８０４の外部のネットワーク９０２と動作可能に接続される通信ポート（入力／出力）８１６を含む。加えて、多機能デバイス８０４は、多機能デバイス８０４の外部であってもよいＡＣ電源８２８から供給される電力で動作するグラフィックユーザインタフェース（ＧＵＩ）アセンブリ８２２など、少なくとも１つのアクセサリ機能コンポーネントを含み得る。ＡＣ電源８２８は、電源供給器８３４を介して電力を提供してもよい。
【００２１】
制御器／処理器８１０は、多機能デバイス８０４の様々な動作を制御する。持続性コンピュータ記憶媒体デバイス８４０（光、磁気、コンデンサベースなどであり得る）は、制御器／処理器８１０により読み込み可能であり、制御器／処理器８１０が実行する命令を記憶して、多機能デバイス８０４が、本明細書において説明されるような様々な機能を行えるようにする。したがって、図８に示されるように、デバイス筐体８４６は、ＡＣ電源８２８から電源供給器８３４により供給される電力で動作する１つ以上の機能コンポーネントを有する。電源供給器８３４は、電力保存要素（例えば、電池）を備えることができ、多機能デバイス８０４の外部であってもよいＡＣ電源８２８と接続する。電力供給器８３４は、外部電力を様々なコンポーネントにより必要とされる種類の電力に変換する。
【００２２】
多機能デバイス８０４は、制御器／処理器８１０と動作可能に接続される少なくとも１つのマーキングデバイス（印刷エンジン）８５２、媒体のシートをシート供給器８６４からマーキングデバイス（複数可）８５２へ供給するよう配置される媒体経路８５８などを含む。印刷エンジン（複数可）から様々なマーキングを受けた後、媒体のシートは、様々な印刷シートの重ね折り、ホチキス止め、並べ替えなどをし得る仕上げ器８７０を選択的に通過し得る。加えて、多機能デバイス８０４は、ＡＣ電源８２８から（電力供給器８３４）を介して供給される電力でさらに動作する少なくとも１つのアクセサリ機能コンポーネント（スキャナ／原稿ハンドラ８７６など）を含み得る。
【００２３】
当業者により理解されるように、図８に示される多機能デバイス８０４は１つの例に過ぎず、本明細書におけるデバイスおよび方法は、より少数または多数のコンポーネントを含んでもよい他の種類の印刷デバイスに等しく適用可能である。例えば、限定された数の印刷エンジンおよび紙の経路が図８に図示される一方で、当業者は、より多数の紙の経路および追加の印刷エンジンが、本明細書におけるデバイスおよび方法で使用される任意の印刷デバイス内に含まれる可能性があることを理解するであろう。
【００２４】
図９に示されるように、例示的なプリンタ、コピー機、多機能機器、および多機能デバイス（ＭＦＤ）８０４は、様々な異なる物理的位置９０６に置かれてもよい。本明細書におけるデバイスおよび方法による他のデバイスは、様々なコンピュータ制御デバイス９０８を含んでもよい。コンピュータ制御デバイス９０８は、プリントサーバ、印刷デバイス、パーソナルコンピュータなどを含むことができ、ネットワーク９０２を用いて（相互に動作可能に接続されて）通信する。ネットワーク９０２は、ローカルエリアネットワーク（ＬＡＮ）、広域ネットワーク（ＷＡＮ）、またはインターネットなどのグローバルコンピュータネットワークを含む、任意の種類のネットワークであってよい。
【００２５】
本開示の態様は、本明細書において、様々なデバイスおよび方法にしたがって、方法、装置（システム）、およびコンピュータプログラム製品のフローチャート図および／またはブロック図を参照して説明される。フローチャート図および／または二次元ブロック図の各ブロック、およびフローチャート図および／またはブロック図におけるブロックの組み合わせは、コンピュータプログラム命令により実装され得ることが理解されよう。コンピュータプログラム命令は、汎用コンピュータ、特定用途コンピュータ、または他のプログラマブルデータ処理装置の処理器に提供されて機器を生産してもよく、したがって、コンピュータまたは他のプログラマブルデータ処理装置の処理器を介して実行する命令は、フローチャートおよび／またはブロック図のブロック（複数可）において特定される機能／動作を実装する手段を作成する。
【００２６】
本明細書における追加のデバイスおよび方法によると、図７に図示される方法を含むがそれに限定されない、コンピュータ実装方法のステップを行うために具現化されるコンピュータ可読命令を有する有形のコンピュータ可読媒体を含む製造品が提供される。１つ以上のコンピュータ可読持続性媒体（複数可）の任意の組み合わせが、利用されてもよい。コンピュータ可読媒体は、コンピュータ可読信号媒体またはコンピュータ可読記憶媒体であってよい。持続性コンピュータ記憶媒体は命令を記憶し、処理器は命令を実行して、本明細書において説明される方法を行う。コンピュータ可読記憶媒体は、例えば、電子、磁気、光、電磁気、赤外線、または半導体システム、装置、またはデバイス、またはそれらの任意の適切な組み合わせであってよいが、それらに限定されない。任意のこれらのデバイスは、図７を参照して上記に説明される方法のステップを遂行するコンピュータ可読命令を有してもよい。
【００２７】
コンピュータプログラム命令はコンピュータ可読媒体に記憶されてもよく、コンピュータ、他のプログラマブルデータ処理装置、または特定の手法で機能する他のデバイスに指示することができ、したがって、コンピュータ可読媒体に記憶される命令は、フローチャートおよび／またはブロック図のブロック（複数可）において特定される機能／動作を実装する命令を含む製造品を生成する。
【００２８】
さらに、コンピュータプログラム命令は、コンピュータ、他のプログラマブルデータ処理装置、または他のデバイス上にロードされ、一連の動作ステップが、コンピュータ、他のプログラマブル装置、または他のデバイス上で行われてコンピュータ実装プロセスを生成してもよく、したがって、コンピュータまたは他のプログラマブル装置上で実行する命令は、フローチャートおよび／またはブロック図のブロック（複数可）において特定される機能／動作を実装するプロセスを提供する。
【００２９】
本明細書におけるデバイスおよび方法をソフトウェアおよび／またはファームウェアにより実装する場合、ソフトウェアを構成するプログラムは、専用ハードウェアを有するコンピュータ内に記憶媒体またはネットワークからインストールされてもよく、コンピュータは、インストールされた様々なプログラムを有する場合、様々な機能を実行することができる。
【００３０】
上述の一連の処理がソフトウェアで実装される場合、ソフトウェアを継続するプログラムは、インターネットなどのネットワークまたは取り外し可能媒体などの記憶媒体からインストールされてよい。取り外し可能媒体の例は、磁気ディスク（フロッピー（登録商標）ディスクを含む）、光ディスク（コンパクトディスク読み出し専用メモリ（ＣＤ−ＲＯＭ）およびデジタル多用途ディスク（ＤＶＤ）を含む）、光磁気ディスク（ミニディスク（ＭＤ）（登録商標）を含む）、および半導体メモリを含む。代替的に、記憶媒体は、ＲＯＭ、ディスクユニットの記憶部分に含有されるハードディスク、または同類のものであってもよく、それらに記憶されるプログラムを有し、それらを含有するデバイスと共にユーザに配布される。
【００３１】
当業者により理解されるように、本明細書におけるデバイスおよび方法の態様は、システム、方法、またはコンピュータプログラム製品として具現化されてもよい。したがって、本開示の態様は、完全なハードウェアシステム、完全なソフトウェアシステム（ファームウェア、常駐ソフトウェア、マイクロコードなどを含む）、または、本明細書において「回路」「モジュール」または「システム」と一般的に称されるソフトウェアおよびハードウェア態様を組み合わせたシステムの形態をとってもよい。さらに、本開示の態様は、具現化されたコンピュータ可読プログラムコードを有する１つ以上のコンピュータ可読媒体（複数可）において具現化されるコンピュータプログラム製品の形態をとってもよい。
【００３２】
１つ以上のコンピュータ可読持続性媒体（複数可）の任意の組み合わせが、利用されてもよい。コンピュータ可読媒体は、コンピュータ可読信号媒体またはコンピュータ可読記憶媒体であってよい。持続性コンピュータ記憶媒体は命令を記憶し、処理器は命令を実行して、本明細書において説明される方法を行う。コンピュータ可読記憶媒体は、例えば、電子、磁気、光、電磁気、赤外線、または半導体システム、装置、またはデバイス、またはそれらの任意の適切な組み合わせであってよいが、それらに限定されない。コンピュータ可読記憶媒体のさらなる特定の例（包括的でないリスト）は、以下を含む：１つ以上の配線を有する電気接続、携帯コンピュータディスケット、ハードディスク、ランダムアクセスメモリ（ＲＡＭ）、読み出し専用メモリ（ＲＯＭ）、消去可能プログラマブル読み出し専用メモリ（ＥＰＲＯＭまたはフラッシュメモリ）、光ファイバ、磁気記憶デバイス、携帯コンパクトディスク読み出し専用メモリ（ＣＤ−ＲＯＭ）、光記憶デバイス、ＵＳＢフラッシュドライブのような「プラグアンドプレイ」メモリデバイス、または、それらの任意の適切な組み合わせ。本明細書の文脈において、コンピュータ可読記憶媒体は、命令実行システム、装置、またはデバイスにより、またはそれらと接続して使用するプログラムを含有または記憶し得る任意の有形媒体であってよい。
【００３３】
コンピュータ可読信号媒体は、例えば、ベースバンドにおいて、または搬送波の一部として具現化されるコンピュータ可読プログラムコードを伴う伝搬データ信号を含んでもよい。そのような伝搬信号は、電磁気、光、またはそれらの任意の適切な組み合わせを含むが、それらに限定されない、任意の様々な形態をとってよい。コンピュータ可読信号媒体は、コンピュータ可読記憶媒体ではなく、命令実行システム、装置、またはデバイスにより、またはそれらと接続して使用するプログラムを通信、伝搬、または伝送し得る、任意のコンピュータ可読媒体であってよい。
【００３４】
コンピュータ可読媒体上に具現化されるプログラムコードは、無線、有線、光ファイバケーブル、ＲＦなど、またはそれらの任意の適切な組み合わせを含むが、それらに限定されない、任意の適切な媒体を使用して送信されてよい。
【００３５】
本開示の態様の動作を遂行するためのコンピュータプログラムコードは、Ｊａｖａ（登録商標）、Ｓｍａｌｌｔａｌｋ、Ｃ＋＋、または類似のオブジェクト指向プログラミング言語、および「Ｃ」プログラミング言語または類似のプログラミング言語など、従来の手続き型プログラミング言語を含む、１つ以上のプログラミング言語の任意の組み合わせで書かれてもよい。プログラムコードは、ユーザのコンピュータ上で全体的に、ユーザのコンピュータ上で部分的に、スタンドアロン型ソフトウェアパッケージとして、ユーザのコンピュータ上で部分的かつリモートコンピュータ上で部分的に、または、リモートコンピュータまたはサーバ上で全体的に実行されてもよい。後者の場合、リモートコンピュータは、ローカルエリアネットワーク（ＬＡＮ）または広域ネットワーク（ＷＡＮ）を含む任意の種類のネットワークを介してユーザのコンピュータと接続されてもよく、または、接続は外部コンピュータと（例えば、インターネットサービスプロバイダを使用してインターネットを介して）なされてもよい。
【００３６】
図におけるフローチャートおよびブロック図は、本明細書における様々なデバイスおよび方法にしたがって、システム、方法、およびコンピュータプログラム製品の可能な実装の構造、機能性、および動作を図示する。関連して、フローチャートまたはブロック図の各ブロックは、特定の論理機能（複数可）を実装するための１つ以上の実行可能命令を備えるモジュール、セグメント、またはコードの部分を表してもよい。一部の代替的な実装において、ブロック内において言及される機能は、図において言及される手順と異なって起こってもよいことにも留意されたい。例えば、連続して示される２つのブロックは、実際には実質的に同時に実行されてもよく、または、関連する機能性によっては、ブロックは逆の順番で実行されることがあってもよい。ブロック図および／またはフローチャート図の各ブロック、およびブロック図および／またはフローチャート図のブロックの組み合わせは、特定の機能または動作を実行する特定用途ハードウェアベースのシステム、または特定用途ハードウェアおよびコンピュータ命令の組み合わせにより実装され得ることにも留意されたい。
【００３７】
多くのコンピュータ制御デバイスが上述された。チップベースの中央処理ユニット（ＣＰＵ）、入力／出力デバイス（グラフィックユーザインタフェース（ＧＵＩ）、メモリ、比較器、処理器などを含む）を含むコンピュータ制御デバイスがよく知られており、米国テキサス州ラウンドロックのデルコンピュータおよび米国カリフォルニア州クパチーノのアップルコンピュータなどの製造業者により製造される、容易に入手可能なデバイスである。このようなコンピュータ制御デバイスは、通常、入力／出力デバイス、電力供給器、処理器、電子記憶メモリ、配線などを含み、その詳細は、本明細書において説明される実施形態の重要な態様に読み手が集中できるよう、本明細書から省略される。同様に、スキャナおよび他の類似の周辺機器は、米国コネチカット州ノーウォークのゼロックス社から入手可能であり、それらのデバイスの詳細は、簡潔さおよび読み手が集中できることを目的として、本明細書では説明されない。
【００３８】
本明細書において使用されるようなプリンタまたは印刷デバイスという用語は、デジタルコピー機、書籍制作機器、ファクシミリ機器、多機能機器など、任意の装置を包含し、任意の目的で印刷出力機能を行う。その詳細は、本開示が提示される重要な特徴に集中し続けるため、本明細書において詳細に説明されない。本明細書におけるデバイスおよび方法は、カラー、モノクロでの印刷またはカラーまたはモノクロ画像データの取り扱いを行うデバイスを包含し得る。すべての前述のデバイスおよび方法は、具体的には、静電複写および／または乾式複写機器および／またはプロセスに適用可能である。
【００３９】
本明細書において使用される専門用語は、特定のデバイスおよび方法を説明する目的でのみ使用され、本開示を限定する意図はない。本明細書において使用されるように、単数形の「ａ（１つの）」「ａｎ（１つの）」および「ｔｈｅ（その）」は、別に明示しない限り、複数形も含むものとする。さらに、「ｃｏｍｐｒｉｓｅｓ（備える）」および／または「ｃｏｍｐｒｉｓｉｎｇ（備える）」という用語は、本明細書において使用される場合、述べられた特徴、整数、ステップ、動作、要素、および／またはコンポーネントの存在を特定するが、１つ以上の他の特徴、整数、ステップ、動作、要素、コンポーネント、および／またはそれらの群の存在または追加を除外しないことが理解されるであろう。
【００４０】
加えて、本明細書において使用される「ｒｉｇｈｔ（右）」「ｌｅｆｔ（左）」「ｖｅｒｔｉｃａｌ（垂直）」「ｈｏｒｉｚｏｎｔａｌ（水平）」「ｔｏｐ（最上部）」「ｂｏｔｔｏｍ（最下部）」「ｕｐｐｅｒ（上部）」「ｌｏｗｅｒ（下部）」「ｕｎｄｅｒ（下方）」「ｂｅｌｏｗ（下位）」「ｕｎｄｅｒｌｙｉｎｇ（下層）」「ｏｖｅｒ（上位）」「ｏｖｅｒｌｙｉｎｇ（上層）」「ｐａｒａｌｌｅｌ（平行）」「ｐｅｒｐｅｎｄｉｃｕｌａｒ（垂直）」などの用語は、（別に示されない限り）配向される相対的位置と理解され、図において図示される。「ｔｏｕｃｈｉｎｇ（触れる）」「ｏｎ（上に）」「ｉｎ  ｄｉｒｅｃｔ  ｃｏｎｔａｃｔ（直接接触）」「ａｂｕｔｔｉｎｇ（隣接した）」「ｄｉｒｅｃｔｌｙ  ａｄｊａｃｅｎｔ  ｔｏ（直接的に隣接した）」などの用語は、少なくとも１つの要素が、（説明される要素を分割する他の要素なしに）別の要素と物理的に接触することを意味する。さらに、「ａｕｔｏｍａｔｅｄ（自動化された）」「ａｕｔｏｍａｔｉｃａｌｌｙ（自動的に）」という用語は、プロセスが（機器またはユーザにより）開始されると、１つ以上の機器が、任意のユーザからのさらなる入力なしにプロセスを行うことを意味する。
【００４１】
以下の請求項のすべてのミーンズプラスファンクション要素またはステッププラスファンクション要素の対応する構成、材料、動作、および均等物は、特に請求される他の請求要素と組み合わされて機能を行う任意の構成、材料、または動作を含むものとする。本開示の様々なデバイスおよび方法の説明が図示の目的で提示されるが、開示されるデバイスおよび方法を包括または限定する意図はない。多くの変形および変化が、説明されるデバイスおよび方法の範囲および主旨から逸脱せずに、当業者に明らかになるであろう。本明細書において使用される専門用語は、デバイスおよび方法の原理、市場に見られる技術を通しての実際の用途または技術の改良を最良に説明するよう選択され、または、他の当業者が本明細書に開示されるデバイスおよび方法を理解できるよう選択される。
【００４２】
上記で開示される特徴および機能、または他の特徴および機能、または、それらの代替物は、望ましくは多くの他の異なるシステムまたは用途に組み合わされてもよいことが理解されるであろう。現状では予見または予期し得ない様々な代替物、変形、変更、または改良が、その後に当業者によりなされてもよく、以下の請求項により具現化されるようさらに意図される。特定の請求項自体に特に規定されない限り、本明細書におけるデバイスおよび方法のステップまたはコンポーネントは、任意の上記の例から、任意の特定の順番、数字、位置、寸法、形状、角度、色、または材料を限定するものとして暗示または意味され得ない。
【図１】
2015131730.tif 000003
【図２】
2015131730.tif 000004
【図３】
2015131730.tif 000005
【図４】
2015131730.tif 000006
【図５】
2015131730.tif 000007
【図６】
2015131730.tif 000008
【図７】
2015131730.tif 000009
【図８】
2015131730.tif 000010
【図９】
2015131730.tif 000011